(57)【要約】【課題】すぐれた抗菌・防臭効果を奏し、滑り止めの点で有効なことはもちろん、つま先のべたつきを抑え、しかも薄型で窮屈感を与えない実用的な靴のつま先シートの提供。【課題の解決手段】レーヨンを素材とする不織布製シートに抗菌・防臭剤を保持させるとともに、滑り止め加工として前記シートの裏面にアクリル樹脂を部分的に塗布した靴のつま先シート。【選択図】図１
2004215836.tif 000002
【特許請求の範囲】
【請求項１】
レーヨンを素材とする不織布製シートに抗菌・防臭剤を保持させるとともに、滑り止め加工として前記シートの裏面にアクリル樹脂を部分的に塗布したことを特徴とする靴のつま先シート。
【請求項２】
抗菌・防臭剤が天然産のキトサンであることを特徴とする請求項１に記載の靴のつま先シート。
【請求項３】
不織布製シートに多数の小孔を設けたことを特徴とする請求項１又は２に記載の靴のつま先シート。
【発明の詳細な説明】
【０００１】
【発明が属する技術分野】
本発明は、靴のつま先シートに関するものである。
【０００２】
【従来の技術】
靴を長時間履き続けると、靴の内部は通気性が悪いため、足の発汗等により温度及び湿度が上がり、足が蒸れて細菌類の繁殖を招き、悪臭の発生原因となる。このため、靴の内部の抗菌、消臭を目的とした各種製品、例えば靴用の消臭中敷、消臭スプレーなどが市販されている。前者の消臭中敷の場合、通常裏面に剥離紙付きの粘着シート等を付設し、剥離紙を剥した後、粘着剤により中敷を靴内部に貼り付け靴に固定する。しかしながら、強い粘着力のため、例えば使用後中敷を剥すのが困難で、無理に剥すと靴の内部部材を損傷させる恐れがある。
かかる問題点を解決する試みとして、特開２０００−１３５１０２号公報には、全面もしくは部分的に樹脂を塗布して靴の内部に仮固定できる下シート部材と、消臭剤を介在させた上シート部材とを順次積層してなる靴用部分消臭シートが開示されている。この消臭シートは、粘着剤の使用を止めて仮固定可能な構成に変えたものであるが、つま先のべたつき解消や使用性等が十分満足のいくものでなく、改良の余地を残している。
【０００３】
【特許文献１】
特開２０００−１３５１０２号公報
【０００４】
【発明が解決しようとする課題】
本発明は、すぐれた抗菌・防臭効果を奏し、滑り止めの点で有効なことはもちろん、つま先のべたつきを抑え、しかも薄型で窮屈感を与えない実用的な靴のつま先シートを提供することを目的とする。
【０００５】
【課題を解決するための手段ならびに発明の実施の形態】
本発明者は、鋭意検討した結果、レーヨンを素材とする不織布製シートを用い、滑り止め加工としてこのシートに更に樹脂シートを積層するのではなく、アクリル樹脂を部分的に塗布することによって、本発明の目的を達成できることを見出し、本発明を完成するに至った。
【０００６】
すなわち、請求項１の発明は、レーヨンを素材とする不織布製シートに抗菌・防臭剤を保持させるとともに、滑り止め加工として前記シートの裏面にアクリル樹脂を部分的に塗布した靴のつま先シートに関するものである。
【０００７】
本発明の靴のつま先シートには、レーヨンを素材とする不織布製シートが用いられる。レーヨン繊維は、吸湿性がよく、発汗によるべたつきを抑えるのに効果的で、本発明の目的に合致する。もちろんレーヨン単繊維でもよいが、吸湿性や強度の面で支障を来たさない限りにおいて、これとパルプ、ポリエステル繊維、ポリプロピレン繊維、ポリアミド繊維等との複合繊維又はこれらの共重合繊維としても構わない。不織布製シートは、厚さが０．１ｍｍ〜１．０ｍｍ程度の薄くて通気性のよいものが好適であり、必要ならば多数の小孔を設け通気性を一層付与するようにしてもよい。また、形状も任意であるが、通常の靴のつま先に相応して半楕円形状のものが使いやすい。
【０００８】
不織布製シートに保持させる抗菌・防臭剤としては、天然産のキトサン、植物抽出物系消臭成分、ポリフェノール、５−クロロ−２−メチル−４−イソチアゾリン−３−オン（以降、化合物Ａ）、グルコン酸銅、酸化チタン、金属銀、活性炭、ゼオライト、セラミックなど、各種のものをあげることができるが、なかでもキトサンが抗菌・防臭効力と天然由来であることから好ましい。
抗菌・防臭剤を不織布製シートに保持させるにあたっては従来公知の方法を適宜採用できる。例えば、キトサンのような粉末状の抗菌・防臭剤成分を保持させる場合、溶解した不織布素材に、粉末成分をそのまま練り込んだり若しくは溶液として混合してもよいし、あるいは１００〜１０００ミクロンの粉末状抗菌・防臭剤と粉末状のホットメルト系接着剤とを混合し、不織布製シートに散布後、熱処理、熱プレスなどで接着・一体化する方法も例示できる。抗菌・防臭剤の不織布製シートへの付着量についても、抗菌・防臭剤の種類や使用用途に応じ、０．２〜２００ｇ／ｍ２、好ましくは１〜５０ｇ／ｍ２の範囲で任意に決定すればよい。また、他の活性成分や、安定剤、固着剤、色素、香料等の補助成分を適宜加えてもよく、更に抗菌・防臭剤を保持させる場合に、水、界面活性剤、分散剤等を必要に応じ使用してもよいことはもちろんである。
【０００９】
本発明は、滑り止め加工として前記不織布製シートの裏面にアクリル樹脂を部分的に塗布したことに特徴を有する。
すなわち、不織布製シートの素材としてレーヨンを用いることによって、このシートに更に樹脂シートを積層するのではなく、アクリル樹脂を部分的に塗布することが可能となったものである。これに対し、特開２０００−１３５１０２号公報に開示された消臭シートでは、消臭剤を介在させる上シート部材の材質と仮固定用の樹脂との組み合わせについて何ら検討されておらず、両部材をシート状にして積層せざるを得ない結果、厚みが増してつま先の窮屈感が免れえず、またべたつきの問題もほとんど解消されなかった。
本発明では、例えばアクリル樹脂エマルジョンを含有するエアゾールを不織布製シートの裏面に噴霧し、好ましくはアクリル樹脂面積が裏面表面積に対して１〜１０％程度になるように部分的に塗布すればよい。
【００１０】
本発明の靴のつま先シートは、不織布製シートの通気性をより高めるために、多数の小孔を設けるのが好ましく、またドライ感を付与させる目的で不織布製シートの表面に、疎水性の繊維からなる薄いシート状部材を貼付するようにしてもよい。
【００１１】
請求項２の発明は、請求項１に記載の靴のつま先シートにおいて、抗菌・防臭剤として天然産のキトサンを用いたものである。
【００１２】
請求項３の発明は、請求項１又は２に記載の靴のつま先シートにおいて、通気性を一層付与するために不織布製シートに多数の小孔を設けたものである。
【００１３】
こうして得られた本発明の靴のつま先シートは、パンプスやサンダル、紳士靴等のつま先に挿入すると、すぐれた抗菌・防臭効果を奏することはもちろん、つま先のべたつきを抑え、しかも薄型で窮屈感を与えずに滑り止めの作用を有することから極めて実用的である。
【００１４】
【実施例】
次に、具体的実施例ならびに試験例をあげて本発明を更に詳しく説明するが、本発明はこれらに限定されるものではない。
【００１５】
実施例
図１は本発明の靴のつま先シート（１）の一実施例の裏面からの斜視図を示す。溶解させたレーヨン素材７０部と、パルプならびにキトサンの液状混合物３０部を混合し、目付け８０ｇ／ｍ２、厚み０．５ｍｍで、キトサンを２０ｇ／ｍ２の割合で保持するレーヨン不織布製シート（２）を調製した。この不織布製シート（２）に直径１ｍｍの小孔（３）を多数穿孔して、シート表面積の約１５％に相当する開孔部を設けた。更に、不織布製シート（２）の裏面に、アクリル樹脂エマルジョンを含有するエアゾールを部分的に噴霧し、アクリル樹脂（４）の塗布面積が裏面表面積に対して３％程度になるように処理した。このシートを、長径１１ｃｍ、短径８ｃｍの先細半楕円状に形成して本発明の靴のつま先シートを得た。
このつま先シートをパンプスの内部に挿入して使用したところ、抗菌・防臭効果に優れることはもちろん、つま先部分の汗を吸収してべたつきを抑え、しかも薄型で窮屈感がなかった。また、従来の消臭シートのように粘着剤を用いていないため、簡単に滑り止めの仮固定をでき、靴の内部を損傷することなく、何度もシートの位置を変更可能であった。更に、キトサンは天然産の抗菌・防臭剤で安全性が高く、安心して使用できた。
【００１６】
試験例
実施例に準じて表１に示す種々の抗菌・消臭シートを調製した。性能評価は下記の観点に基づいて行い、結果を表１に併せて示した。
（１）発汗時のべたつき感の解消：
○；良好、      △；普通、    ×；不良
（２）履き心地（窮屈感を感じないなど）：
○；良好、      △；普通、    ×；不良
（３）滑り止め効果（簡便性、靴内部に損傷を与えないなど）：
○；良好、      △；普通、    ×；不良
【００１７】
【表１】
2004215836.tif 000003
＊成分Ａ：５−クロロ−２−メチル−４−イソチアゾリン−３−オン
【００１８】
試験の結果、レーヨンを素材とする不織布性シートと、その裏面にアクリル樹脂を部分的に塗布することによって得られた本発明の抗菌・消臭シートは、３評価項目（発汗時のべたつき感の解消、履き心地、滑り止め効果）のいずれも優れ実用性の高いことが認められた。
これに対し、レーヨンを素材としないシート（比較例１）はべたつきが解消されず、比較例２のように、アクリル樹脂の替わりに酢酸ビニル樹脂を用いたものは満足のいく滑り止め効果を示さなかった。また、比較例３の如く、アクリル樹脂を用いても部分的に塗布せずシート状に積層した場合には、シートの厚みが増し窮屈感が否めなかった。なお、粘着剤を使用する従来タイプは、剥がす時に靴の内部を損傷させる恐れがあり好ましくなかった。
【００１９】
【発明の効果】
本発明の靴のつま先シートは、パンプスやサンダル、紳士靴等のつま先に挿入すると、すぐれた抗菌・防臭効果を奏することはもちろん、つま先のべたつきを抑え、しかも薄型で窮屈感を与えずに滑り止めの作用を有することから極めて実用的である。
【図面の簡単な説明】
【図１】本発明の一実施例の裏面からの斜視図を示す。
【符号の説明】
１：つま先シート、
２：不織布製シート、
３：小孔、
４：アクリル樹脂
【図１】
2004215836.tif 000004